Podtech/llm-jp-corpus-v4-ja_patent huggingface dataset:
(57)【要約】【課題】碁石や駒を掴む作業が健康効果を持てばよいと思案した。盤ゲームをしながら指先でつまむ碁石や駒から刺激を受ける用具を提案。【解決手段】１　トルマリンを含む素材からなることを特徴とする、碁石または駒。２　トルマリンを含む素材と粘着スポンジまたは磁石を組み合わせたことを特徴とする碁石または駒。３　トルマリンを含む素材からなる黒石とサンゴの素材からなる白石の組み合わせを特徴とする白と黒の碁石。【選択図】　　図１
2004113721.tif 000002
【特許請求の範囲】
【請求項１】
トルマリンを含む素材からなることを特徴とする碁石または駒。
【請求項２】
トルマリンを含む素材と粘着スポンジまたは磁石を組み合わせたことを特徴とする碁石または駒。
【請求項３】
トルマリンを含む素材からなる黒石とサンゴの素材からなる白石の組み合わせを特徴とする白と黒の碁石。
【発明の詳細な説明】
【０００１】
【発明の属する技術分野】
本発明は囲碁将棋などの盤ゲームの碁石または駒に関する。詳しくはトルマリンを利用した囲碁将棋などの盤ゲームの碁石または駒に関する。
【０００２】
【従来の技術】
従来囲碁将棋などの盤ゲームの碁石または駒は各種ある。たとえば碁石は貝や石で、蛤や那智の黒石を丸くする。または硬質ガラスや合成樹脂などである。将棋の駒も柘の木や合成樹脂である。その他各種素材を利用できる。
【０００３】
【発明が解決しようとする課題】
我が国は高齢化社会に突入し、囲碁将棋などは高齢者の交流手段及び余暇活動やボケ防止などの効果を持つ。とくに囲碁は指で碁石をつまみ盤に並べるのでボケ防止指先運動としてもよいといわれている。
本発明者は碁石や駒を掴む作業が健康効果を持てばよいと思案した。盤ゲームをしながら指先でつまむ碁石や駒から刺激を受ければよい。
トルマリンはマイナスイオン効果、遠赤外線効果、微弱電流効果などの人体に有益な効果があるといわれる。そこでこのトルマリンを碁石または駒にすればよいと思案した。トルマリンを指先でつまむことによりトルマリン効果を得る。
【０００４】
すなわち本発明は盤ゲームで遊びながら、トルマリン効果により健康になる方法を提供するものである。
【０００５】
【課題を解決するための手段】
本発明者は、上記目的を達成するために、下記を提案する。
１　トルマリンを含む素材からなることを特徴とする碁石または駒。
２　トルマリンを含む素材と粘着スポンジまたは磁石を組み合わせたことを特徴とする碁石または駒。
３　トルマリンを含む素材からなる黒石とサンゴの素材からなる白石の組み合わせを特徴とする白と黒の碁石。
４　トルマリン含有樹脂からなる素材であることを特徴とする碁石または駒。
５　トルマリンを含む素材と粘着スポンジまたは磁石からなることを特徴とする碁石または駒。
６　トルマリンの砕片、細片、粉末を加工したことを特徴とする碁石または駒。
７　トルマリンの砕片、細片、粉末を加工しこれを粘着スポンジまたは磁石と組み合わせたことを特徴とする碁石または駒。
【０００６】
トルマリンは電気石である。組成の複雑なケイ酸塩鉱物である。透明または不透明でガラス光沢ないし樹脂光沢をもつ。色は黒、褐黒、青黒、緑、紅、黄、赤、紫、無色など化学組成により多種変化する。特徴として摩擦電気を生じ、また焦電気性が強い、熱すると電気を帯びる。このことより電気石と名付けられ、宝石として利用できるものはトルマリンという。産地は世界中にあり、我が国では福島県石川、山梨県黒平、鳥取県広瀬鉱山、宮崎県鹿川、鹿児島県屋久島などが代表である。細かく砕いてもプラスとマイナス電極を生じ、０・０６ミリアンペアの微弱電流が流れ、人間の波長と合う。常に発生するマイナスイオンは人間の身体の毒素を排出し癒しを与えるという。
トルマリンは黒色が多い。普通は黒色である。
【０００７】
本発明に利用するには、石そのままを碁石に加工してもよい。またはトルマリンの砕片、細片、粉末を合成樹脂などで固めて加工してもよい。下部を磁石や粘着スポンジ、たとえばアクリルウレタンにしてもよい。
碁石または駒の使用する盤ゲーム種類は囲碁や連珠、将棋、チエス、裏返しなどである。これらのゲームを行うときに利用できる。
【０００８】
以下、本発明を図に従い、詳しく説明する。
図１は本発明品側面図、図２は本発明品側面図、図３は本発明品側面図、図４は本発明品正面図である。符号の１は本発明品、２はトルマリン、３は合成樹脂、４は粘着スポンジ、５は将棋文字である。
【０００９】
【実施例１】
図１の如く、黒色トルマリン原石を碁石形に製作し、これを黒の碁石とする。
【００１０】
【実施例２】
図３に示すようにトルマリン粉末を接着剤で固め平板にする。これにアクリルスポンジを張り合わせる。これを丸く打ち抜き碁石とする。アクリルスポンジは粘着剥離を繰り返すものを使用する。紙やプラスチックなどを碁盤にできる。粘着方式なので壁面やベッドの上などでもできる。粘着するので旅先携帯用にもよい。
【００１１】
【実施例３】
図４に示す如くトルマリン粉末を木粉と混合し樹脂粘土等で固め駒形にする。これに将棋の文字を筆で書き将棋の駒とする。墨にトルマリン微粉末を混合してもよい。
【００１２】
【発明の効果】
本発明により囲碁将棋などの盤ゲームを楽しみながらトルマリンに触れる。
対戦ゲームばかりでなく、詰め物研究や棋譜再現などで碁石または駒を触ればトルマリンと指先が強制的に触れる。
請求項１記載の効果としては、トルマリンを含む素材からなる碁石または駒なので次のような効果がある。
トルマリンは指先で掴んだり手のひらで握れば温められるので、遠赤外線やマイナスイオンが強く出る。これに触れて健康効果や癒し効果を得る。
従来のトルマリン商品は飾り物や指輪などで直接手に触れない。本発明では遊びながら知らず知らずに何回も手指で触れることができる。
【００１３】
請求項２記載の効果としてはトルマリンを含む素材と粘着スポンジまたは磁石を組み合わせたことを特徴とする碁石または駒であるから、壁面でもトルマリンを触りながらゲームを楽しめる。
【００１４】
請求項３記載の効果としてはサンゴの素材からなる白石の組み合わせたことにより白でもゲームをしながらマイナスイオン放出体に手で触れる。トルマリンの黒だけよりより一層マイナスイオンを吸収できる。
【図面の簡単な説明】
【図１】は本発明品側面図である。
【図２】は本発明品側面図である。
【図３】は本発明品側面図である。
【図４】は本発明品正面図である。
【符号の説明】
１は本発明品、２はトルマリン、３は合成樹脂、４は粘着スポンジ、５は将棋文字である。
【図１】
2004113721.tif 000003
【図２】
2004113721.tif 000004
【図３】
2004113721.tif 000005
【図４】
2004113721.tif 000006
(57)【要約】【目的】折り畳みできる車椅子用天蓋の提供。【構成】車椅子の左右のフレームに左右一対の支柱を取り付け、それぞれの支柱の上端部に設けた回転軸に、前後の中央部で連結した左右の天蓋フレームを枢着し、天蓋フレームの中間部に、ロックできる折れリンクを設け、天蓋フレームを防水布で覆い、使用状態の時には折れリンクをロックして天蓋を広げ、折り畳む時には折れリンクのロックを外し、車椅子の折り畳みと連動して天蓋も折り畳むことができるように構成された車椅子の天蓋。【選択図】　　　　図１
2004113722.tif 000002
【特許請求の範囲】
【請求項１】
左右方向に折り畳むことができる車椅子の左右のフレームに、取り付け金具で固定された左右一対の支柱を設け、それぞれの支柱の上端部に前後方向の水平回転軸を設け、これらの回転軸に、中央部の前端部と後端部で互いに連結された左右一対の天蓋フレームをそれぞれ枢着し、天蓋フレームの前後方向の中間部に、死点を超えてロックできる折れリンクを設けて左右の天蓋フレームを連結し、天蓋フレームを防水布などで覆い、車椅子が使用状態の時には、折れリンクを伸ばした状態でロックさせて天蓋を広げ、車椅子を折り畳む時には折れリンクを畳み、車椅子の折り畳み作動と連動して天蓋も折り畳むことができるように構成された車椅子用天蓋。
【発明の詳細な説明】
【０００１】
【産業上の利用分野】
この発明は、障害者、高齢者のための折り畳み式車椅子用の天蓋に関する。
【０００２】
【従来の技術】
従来の折り畳み式車椅子には、雨避け日除けのための天蓋がなく、使用者は強い日差しや雨を防ぐために、帽子か傘あるいは合羽などを用いて雨や日差しを防ぐ他には方法がなく、不便かつ危険であった。
【０００３】
【発明が解決しようとする課題】
車椅子を折り畳む時、同時に連動して天蓋を折り畳むことができ、車椅子を使用する時には、同時に連動して天蓋が広がりかつその状態で固定することができること、ならびに多様な寸法を持つ車椅子に対して、天蓋を簡単に脱着できることが課題であった。
【０００４】
【課題を解決するための手段】
左右方向に折り畳むことができる車椅子の左右のフレームに、取り付け金具で固定された左右一対の支柱を設け、それぞれの支柱の上端部に前後方向の水平回転軸を設け、これらの回転軸に、中央部の前端部と後端部で互いに連結された左右一対の天蓋フレームをそれぞれ枢着し、天蓋フレームの前後方向の中間部に、死点を超えてロックできる折れリンクを設けて左右の天蓋フレームを連結し、天蓋フレームを防水布などで覆い、車椅子が使用状態の時には、折れリンクを伸ばした状態でロックさせて天蓋を広げ、車椅子を折り畳む時には折れリンクを畳み、車椅子の折り畳み作動と連動して天蓋も折り畳むことができるように構成する。
【０００５】
左右方向に折り畳むことができる車椅子の左右のフレームと、天蓋を保持する左右一対の支柱を互いに固定する場合、形状や寸法の異なる車椅子に対し、天蓋の支柱を固定できる共通の部位は、車椅子を介助者が押すハンドルグリップ部に近い、背当てフレームの上部の屈曲部と、車椅子の後輪下部の後方に伸びている水平パイプ部であり、これらの左右４か所のフレームにそれぞれ金具を取り付けて、天蓋を保持する左右一対の支柱の上下部を固定することが適当である。またこれによって天蓋の高さを調節することもできる。
【０００６】
従って、これらのパイプ同士の固定金具は、隣接する２つの異なったパイプの径および相対角度に対応して固定できるように、それぞれのパイプを締め付ける金具同志を互いの角度が自在に設定できるようにしてネジで締め付けるようにする構造とする。
【０００７】
なお、天蓋を保持する左右一対の支柱は、車椅子に固定している金具のネジを緩めれば、簡単に上方に引き抜いて取り外すことができるが、支柱の上部固定金具の上方にに差し込み継ぎ手を設けることによって、さらに簡単に脱着することができる。
【０００８】
【実施例】
以下、本発明の具体的な実施例について、図面に沿って詳述する。
図１は、本発明の天蓋付き車椅子の使用状態における斜視図である。
図２は、本発明の天蓋付き車椅子の折り畳み状態における斜視図である。
【０００９】
左右方向に折り畳むことができる車椅子１の、背当てフレーム上部の屈曲部２および後部車輪の下部の後方に伸びる水平フレーム部３には、天蓋を保持する支柱４が、取付け金具５および６で上下部を固定されており、支柱４の脱着あるいは高さ調節が簡単にできるように、蝶ねじ７および８で締め付けられる。また、支柱４の中間部には、差し込み式の継ぎ手部９が設けられ、上部支柱１０が設けられているために、天蓋をさらに簡単に脱着できるようになる。
【００１０】
上部支柱１０の上部は、前方へ水平に曲げられて回転軸１１となり、天蓋を構成する左右一対の天蓋フレーム１２に設けられた軸受け部１３に回転自在に嵌合される。天蓋フレーム１２はまた、前後端で弓形に下方に曲げられ、天蓋周辺フレーム１４に両端で結合されている。
【００１１】
天蓋周辺フレーム１４は、天蓋の前中央部１５と後中央部１６で互いに回転自在に連結され、天蓋は左右の回転軸１１を中心に互いに回転することができるようになっているが、天蓋フレーム１２および天蓋周辺フレーム１４は、天蓋が最大に開いた時には防水布１７が強く張ることによって、下方へは折り畳むことができないため、車椅子１が折り畳まれ、これに連動して支柱４の左右の距離が縮まると、天蓋は図１の開いた状態から図２の折り畳まれた状態へ変化する。
【００１２】
天蓋フレーム１２の前後方向の中間部には、伸ばした時に死点を超えてロックできる折れリンク１８が設けられて左右の天蓋フレームを連結し、折れリンク１８をロックさせることによって、天蓋を開いた状態で固定することができ、また折れリンク１８のロックを外し、車椅子を折り畳めば、天蓋もこれに連動して折り畳まれることになる。
【発明の効果】
【００１３】
上記のように構成することにより、折り畳みおよび脱着が簡単で高さの調節ができ、しかもほとんどの車椅子に適合して取り付けることができる、雨避けあるいは日除けの機能を備えた、安全で快適な天蓋付き車椅子を提供することができる。取り外された天蓋は、そのまま折り畳んで別に収納することができるため、車椅子を車両に乗せて搬送する時にも、天蓋が邪魔になることはない。
また必要に応じて、天蓋周辺フレームに透明の垂れ幕を取り付ければ、かなりの風雨に際しても車椅子を十分使用できる効果がある。
【図面の簡単な説明】
【図１】天蓋付き車椅子の使用状態における斜視図である。
【図２】天蓋付き車椅子の折り畳み状態における斜視図である。
【符号の説明】
（１）　車椅子
（２）　車椅子の背当てフレーム上部の屈曲部
（３）　車椅子後部車輪下部の後方に伸びる水平フレーム部
（４）　天蓋を保持する支柱
（５）　取付け金具
（６）　取付け金具
（７）　蝶ねじ
（８）　蝶ねじ
（９）　差し込み式の継ぎ手部
（１０）　上部支柱
（１１）　上部支柱上部の水平回転軸
（１２）　天蓋フレーム
（１３）　天蓋フレームの軸受け部
（１４）　天蓋周辺フレーム
（１５）　天蓋の前中央連結部
（１６）　天蓋の後中央連結部
（１７）　防水布
（１８）　折れリンク
【図１】
2004113722.tif 000003
【図２】
2004113722.tif 000004
(57)【要約】　　　（修正有）【課題】冬は浴室が寒い。浴槽から出て顔や体を洗っている時などは、体が冷えてしまう。それを防ぐために考案したものである。【解決手段】浴槽から出ても、このブーツの中にお湯を入れて足先を温めれば、血流もよくなり、体は湯冷めしにくくなる。【選択図】　　図２
2004113724.tif 000002
【特許請求の範囲】
【請求項１】
家庭風呂等で使用するブーツ型の足保温器
【発明の詳細な説明】
【０００１】
【発明の属する技術分野】
本発明は家庭のお風呂などで使用するブーツ型になった足保温器である。
【０００２】
【従来の技術】
従来は電気式、バケツ型、据え置き型がほとんどでありコンセントも必要とした。大きくて場所もとり持ち運びも少し困難であった。
【０００３】
【発明が解決しようとする課題】
本発明は、ブーツ型で場所もとらず、箱型でないため足も拘束されないのでとても便利である。
片方ずつでもお湯の入れ替えが可能である。
【０００４】
【課題を解決するための手段】
据え置き型でないため場所もとらず、持ち運びも便利である。
電気式でないためコンセントも必要としない。
お湯を入れて使用するので、冷めても入れ替えが簡単にできる。
浴槽から出ても足先が冷えないよう、お湯を入れるためのブーツ型とした。
【０００５】
【発明の形態の実施】
ブーツ型にしたことにより足が自由に動かすことが可能である。
片方のみでもお湯の入れ替えができ簡単で場所もとらない。
【０００６】
【発明の効果】
据え置き型、バケツ型では、足は揃えていなければいけないがブーツ型では足が拘束されない。
浴室内とはいえ、冬は浴槽から出れば寒いがこのブーツを使用することにより足先が温められ血流がよくなり、湯冷めしにくくなるのである。
介護など入浴できない人は足先だけでも温めることにより安眠の効果も期待できる。
片麻痺のある方でも使用しやすいブーツ型である。
【図面の簡単な説明】
【図１】本発明の図面
【図２】使用実施例図
【符号の説明】
（１）足
（２）お湯
（３）本体
（４）底部分
【図１】
2004113724.tif 000003
【図２】
2004113724.tif 000004
(57)【要約】【課題】一般のお風呂の中にあるシャワーの水圧を高め、水圧と電気の両方で電気刺激（バイブレーション）機能を動かし、シャワーヘッドを直接肌などにつけることにより、水圧と振動両方のマッサージ効果を得ると共に毛穴に詰まった皮脂等を取り除く【解決手段】水の出る穴を針程の穴のように小さくし水圧を高め毛穴に水圧が高いままあたるようにし、流れる水圧でバイブレーションを動かすが、振動が弱い場合電源をつける事により強くする事ができる。また、その振動をヘッドに付いている凹凸部が触れている肌の部分を水圧と振動でマッサージ効果を得る事が出来る。【選択図】図２
2004113728.tif 000002
【特許請求の範囲】
【請求項１】
シャワーヘッド自体にバイブレーション等の電気素材を埋め込み、シャワーヘッドの水の噴射口にマッサージ用のゴムやシリコン樹脂等を取り付けることを特徴とするマッサージ機能付シャワーヘッド。
【発明の詳細な説明】
【０００１】
【発明の属する技術分野】
本発明は、シャワーヘッド内部に振動モーターを埋め込み、回転によりシャワーヘッド自身を振動させシャワーヘッド自身にマッサージ機能をつけた方法に関する。
【０００２】
【従来の技術】
従来のシャワーヘッドには、単に水が出てくる機能（シャワー機能）、またはシャワー機能に節水機能を付加したもの、水圧を利用してのマッサージ機能をもつものがあるが、水を使わなければマッサージ効果を得る事が出来ない。
【０００３】
【考案が解決しようとしている課題】
シャワーより出てくる水を使わなくともマッサージ効果を得る事が出来、かつ水圧マッサージ効果を得る事が出来る。
【０００４】
【課題を解決するための手段】
シャワーより出てくる水圧を利用のマッサージ機能に電気刺激（バイブレータ）を装着することで、電気マッサージ、または、水圧マッサージ、あるいは両方のマッサージ効果を得る事が出来る。
本発明は、水圧を強くする事により毛穴の油や洗顔後のシャボンをより多く落とす事ができる。電気刺激（バイブレーション）をつけることにより水へのウエーブを付けるとともに、そのまま頭や体に接触させる事で水と電気振動両方のマッサージ効果をもたせる事により水圧マッサージ効果と電気マッサージ効果を一度にもたらすことができる。
【０００５】
【発明の実施の形態】
シャワーヘッドの上部に取り付けられた電気刺激（バイブレータ）がヘッド全体を振動させ、突起物の付いたヘッド噴水口を振動させ、マッサージ効果をえる。
お風呂の中で水圧を高くして体にあたる場合にマッサージ効果を目的とし、また、シャワーヘッド自体に電気刺激（バイブレーション）機能をもたせた事でシャワーヘッドの凹凸が振動を伝え、ヘッドを直接身体に接触させる事で、二重のマッサージ効果がある。
【０００６】
【実施例】
以下、添付図面に従って一実施例を説明する。図１はプラスチック等で作られたシャワーヘッドアタッチメント、２はシャワー噴射口、３はマッサージ用突起、４はシャワー本体、５は給湯器からのホース継ぎ手、６は電池室、７は電気刺激（バイブレータ）発生器、８はバイブレータスイッチ
従来のシャワーヘッド同様、５にホースを繋ぎ、６の電池室に電池を入れ，蓋をする。給湯器を開栓すると、２の噴射口より勢い良く湯がでる。
【０００７】
８のスイッチを入れると電気刺激（バイブレータ）が振動を開始する。水圧を利用してバイブレーションを動かすが振動が物足りなく低い場合に電池をセットしておきスイッチを入れる事で強弱を強調しやすくなる。
【０００８】
シャワーヘッド噴射口アタッチメントは、突起物の形状により振動の皮膚への刺激の度合いを変化する。例えば、肩への刺激、または頭皮への刺激である。
【０００９】
【考案の効果】
本発明は、シャワーより出てくる水圧を利用し全身、特に頭皮や顔へのマッサージする事が出来、毛穴まで強い水圧を届かせる事により毛穴の油や洗顔後の石鹸をより多く落とす事ができる。また、電気刺激（バイブレーション）をつけることにより水へのウエーブを付けるとともに、そのまま頭や体に接触させる事で水と電気刺激（バイブレーション）両方のマッサージ効果でリフレッシュできる。
【図面の簡単な説明】
【図１】シャワーヘッドの平面図である。
【図２】シャワーノズルを示した断面図である。
【符号の説明】
１．シャワーヘッド
２．マッサージ用突起
３．シャワー噴射口
４．シャワー取っ手
５．ジョイント部
６．電池格納室
７．振動モータ
８．スイッチ
【図１】
2004113728.tif 000003
【図２】
2004113728.tif 000004
(57)【要約】【課題】この発明は、レジ袋を使用する時、大、小、多数の袋を使用し、公害の原因となった事を防ぐ公害防止に関するレジ袋を提供する。【解決手段】平ゴム（１）（２）（３）を用いて枠（４）形成し、平ゴム（１）（２）（３）の両端に布（５）（５′）を張り、袋（６）を設け、平ゴム（１）（２）（３）と布（５）（５′）をゴム糸（７）で縫い、布（５）表面の中央部分に突出したホック（８）（９）（１０）（１１）を設け、布（５′）の裏面中央部分にくぼみのあるホック（８′）（９′）（１０′）（１１′）を設けたことを特長とする。【選択図】　図４
2004113727.tif 000002
【特許請求の範囲】
【請求項１】
平ゴム（１）（２）（３）を用いて枠（４）形成し、平ゴム（１）（２）（３）の両端に布（５）（５′）を張り、袋（６）を設け、平ゴム（１）（２）（３）と布（５）（５′）をゴム糸（７）で縫い、布（５）表面の中央部分に突出したホック（８）（９）（１０）（１１）を設け、布（５′）の裏面中央部分にくぼみのあるホック（８′）（９′）（１０′）（１１′）を設けたことを特長とするレジ袋。
【発明の詳細な説明】
【０００１】
【発明の属する技術分野】
この発明は、レジ袋を使用する時、大、小、多数の袋を使用し、公害の原因となった事を防ぐ公害防止に関するレジ袋である。
【０００２】
【従来の技術】
従来の袋は買物に応じて、大、小、多数の袋を使用し公害の原因となった。
【０００３】
【発明が解決しようとする課題】
したがって、上記の問題を解決するために、大、小、多数の袋を使用せず、公害防止することを目的とするものである。
【０００４】
【課題を解決するための手段】
平ゴム（１）（２）（３）の枠（４）を形成する。
枠（４）の両面に布（５）（５′）を張り、袋（６）を形成する。
ゴム糸（７）で平ゴム（１）（２）（３）と布（５）（５′）を縫う。
布（５）の表側中央に、突出したホック（８）（９）（１０）（１１）を設ける。
布（５′）の裏側中央にくぼみのあるホック（８′）（９′）（１０′）（１１′）を設ける。
ホックの使用により、内側の面積が異なる。
本発明は、以上の構成からなるレジ袋である。
【０００５】
【発明の実施の形態】
2004113727.tif 000003
ゴム枠（４）にて、品物の重量に応じてゴムの伸縮を図る。
ゴム枠（４）を布（５）にゴム糸（７）で縫い、表面、裏面の弾力を図り、ゴムの限界点まで使用する。
布（５）の表側と布（５′）の裏側の上部に、布（１２）（１２′）を設ける。
布（１２）（１２′）の両端に吊手（１３）（１３′）を設ける。
布（５）の表面中央部分に突出したホック（８）（９）（１０）（１１）を設ける。
布（５′）の裏面中央部分にくぼみのあるホック（８′）（９′）（１０′）（１１′）を設ける。
表側の中央突出したホック（８）（９）（１０）（１１）と裏側の中央くぼみのあるホック（８′）（９′）（１０′）（１１′）を合せ閉じる。
袋（６）の内側の品物が少ない時、袋の面積に応じてホックを使用する。
表側と裏側のホック（８）（９）（１０）（１１）と（８′）（９′）（１０′）（１１′）を外すと、内側が広く、品物に応じて使用できる。
表面の布（１２）の中央に帯（１４）を設ける。
帯（１４）の表面に、布（１２）の上側からくぼみのあるホック（１５）を設ける。
帯（１４）の先端にホック（１６）を設ける。
布（１２′）の裏面にホック（１７）を設ける。
帯（１４）の先端のホック（１６）とホック（１７）を互いに合せ、表側（１２）と裏側（１２′）と合せてつなぐ。
使わない時は、帯（１４）の先端のホック（１６）とホック（１５）を合せ、帯（１４）の裏側の面テープ（１８）と表面（５）の面テープ（１９）と合せて折りたたむ。
【０００６】
【発明の効果】
したがって、１つのレジ袋により公害を出さない。
【図面の簡単な説明】
【図１】本発明の部分説明図
【図２】本発明の構造図
【図３】本発明の部分説明図
【図４】本発明の正面図
【符号の説明】
１　平ゴム　　　２　平ゴム　　　３　平ゴム　　　４　枠
５　布　　　　　５′布　　　　　６　袋　　　　　７　ゴム糸
８　突出したホック　　　８′くぼみのホック　　　　９　突出したホック
９′くぼみのホック　　１０　突出したホック　　　１０′くぼみのホック
１１　突出したホック　　１１′くぼみのホック　　　１２　布５の上部
１２′布５′の上部　　　１３　吊手　　　　１３′吊手　　　１４　帯
１５　くぼみのホック　　１６　くぼみのホック　　　１７　くぼみのホック
１８　面テープ　　　　　１９　　面テープ
【図１】
2004113727.tif 000004
【図２】
2004113727.tif 000005
【図３】
2004113727.tif 000006
【図４】
2004113727.tif 000007
(57)【要約】【課題】押入れ等で使用される収納棚において理想的な幅に設置するため伸縮性を持たせるために従来のように、二重のスティールパイプを使用せずに、均一な耐荷重をうるような構造を持つ棚を供給することである。　また、スティールパイプ使用の場合は錆等の不祥事が発生することがあるが、このような心配をなくすため、スティールを表面に使用しない材料で同一の価値ある商品を提供することである。【課題解決手段】従来のスティールパイプの二重構造による伸縮方式を、棚板をスライドバー上で移動させることにより伸縮させる方式を採用する。また、棚板を移動させるためのスライドバーには樹脂を使用して錆等による不慮の事故を防ぐ。【選択図】図１
2004113715.tif 000002
【特許請求の範囲】
【請求項１】
二枚のベースとなる左右の棚板１，１‘に設けられた通過孔２，２’にスライドバー４，４’を通過させ左右の棚板１，１‘を連結させ、その間に可動棚板６，６’を設置する。左右の棚板１，１‘をスライドー４，４’上で移動させることにより棚全体の幅が変更できる機能を備えるプラスティック製棚。
【請求項２】
請求項１において、ベースとなる左右の棚板１，１‘を最大限延ばした際、貫通しているスライドバー４，４’が二枚のベースとなる棚板１，１’からの脱落を防ぐために、スライドバー４，４‘の両端に隣接した部分に楔型の停止装置５を取り付ける。
【請求項３】
脚部３，３‘は２個の部品Ａ，Ｂで構成され、着脱可能となっている。これら２個の部品の結合方法を上下転換することにより一定の範囲内で高さの調節を可能とする。また、この脚部３，３’はベースとなる棚板１，１‘の上部に設けてある結合穴７に差込み積み重ねを可能とさせる機能を備える。
【発明の詳細な説明】
【０００１】
【発明の属する技術分野】
本発明は押入れ等で使用される棚やラック類の収納用商品に属する。
【０００２】
【従来の技術】
現在一般的に使われている収納用伸縮ラックはスティール等の金属パイプを二重に備え、外側のパイプに内側のパイプをしまい込んだり、引っ張り出したりする方法で棚の幅を変更させている。
【０００３】
【発明が解決しようとする課題】
本発明の課題は従来金属パイプ、特にメッキ加工の施されたスティール製が主流となっており、そのためメッキが剥がれたりして錆び等の発生が生ずる場合がある。そのため、保管してある物品にダメージを与える場合がおこる。また、湿気のある場所で使用された場合はその錆びの発生率が高くなり耐久性にも問題がしょうずる。つまり、スティールパイプを表面に使用せず伸縮可能な収納用棚を提供することである。
【０００４】
【課題を解決するための手段】
収納用棚として湿気の多い場所で使用された場合、物品にダメージを与える錆び等が発生しないように、金属の使用を避け、プラスティックを表面材料とする。二つの太さの異なるパイプを使用した際に発生する耐荷重の相違を、一体の成形品を使うことにより均一に保つようにする。ベースとなる棚板をスライドさせることにより生ずるであろうと思われる脱落を防ぐために、ベースとなる棚板に雌、スライドバーに雄という形で楔状の凹凸部を設ける。
【０００５】
【発明実施の形態】
収納棚の部材として、二枚のベースとなる棚板１，１‘、中央に設置される可動棚板６，６’、一組（二脚）の脚部３，３’、棚板を支える二本のスライドバー４，４‘、を主要部品とする。
【０００６】
二枚のベースとなる棚板１，１‘通過孔にスライドバー４，４’を通し一体化させる。一体化されたベースとなる棚板１，１‘とスライドバー４，４’は楔形の停止装置５により固定される。最大幅に拡げられた時に可動棚板６，６’を取り付け完成される。
【０００７】
高さの調節には脚部３，３‘の部品Ａ，Ｂの取り付け方のより可能な範囲で行う。
【０００８】
【発明の効果】
本発明により押入れ等で使用される収納棚を、設定により幅、高さを理想的な形に設定して空間の有効活用を可能にさせる。また、表面にスティールを使用していないため、錆等により汚れの付着に注意するという無益な心配をする必要がなくなる。
【図面の簡単な説明】
【図１】本発明の全体を上方から見た図である。
【図２】本発明を側面から見た図である。
【図３】本発明を正面から見た図と楔形の停止装置の詳細図である。
【符号の説明】
１，１‘　　ベースとなる棚板
２，２‘　　通過孔
３，３‘　　脚部
４，４‘　　スライドバー
５，　　　　楔形の停止装置
６，６‘　　可動棚板
７、　　　　結合穴
Ａ、Ｂ　　　脚部３，３‘の部品
【図１】
2004113715.tif 000003
【図２】
2004113715.tif 000004
【図３】
2004113715.tif 000005
(57)【要約】［課題］耳周りの装飾品を増やすことで個性と美しさをよりひきだす。［解決手段］フック部▲１▼に装飾品▲３▼をつけ、耳に固定させることで耳上部への装飾を可能とし、個性と美しさをアピールする事ができるようになる。【選択図】図１
2004113720.tif 000002
【特許請求の範囲】
【請求項１】
耳の裏側を巻き込むように固定され耳上部に装飾をさせるもの
【発明の詳細な説明】
【０００１】
［発明の属する技術分野］
本発明は耳まわりの装飾可能範囲を広げる為、耳の裏側にまきこむように固定させ耳上部に装飾品をつける事を可能とするものである
【０００２】
［従来の技術］
今まで、耳の装飾品は、ピアス、イヤリング、等主に耳たぶにつけるものしかなかった。
【０００３】
［発明の実地の形態］
イ）耳上部前方から、耳の裏側を巻き込む事で、耳に固定されるフック部▲１▼がある。フック部▲１▼は個人差に対応出来るように曲げられる、やわらかい材質を使用する。
ロ）先端はＲ形状部▲２▼になっていて固定しやすくなっている
ハ）上部は装飾部▲３▼である。デザイン等はそれぞれ異なる
二）フック部▲１▼と装飾部▲３▼は一体であり固定されている。
【０００４】
［発明の効果］
この発明により耳まわりの装飾が増える。そのことで男女供により美しく、なる要求が満たされ、より個性を強調できる。
長い髪にかくれがちであった為、耳の上部は重視されなかったが、この発明により、美しさ、個性を充分にアピールするポイントとして利用される。
【図面の簡単な説明】
【図１】本発明の正面図である
【符号の説明】
▲１▼フック部
▲２▼先端Ｒ形状部
▲３▼装飾部
【図１】
2004113720.tif 000003
(57)【要約】【課題】屈伸機能の低下した高齢者や、ケガ等により屈伸が困難となっている人達に使用中の杖が転倒した際に、その杖を起き上がらせることが簡単に行われるような機能のついた歩行補助用杖を提供することである。【解決手段】杖の柄部分に約４５度の角度を持つ平面を設置して、転倒時に杖の柄部分を足で踏みつけ、杖の柄部分に設置された約４５度の角度で杖本体を起き上がらせるような構造をもたせることである。【選択図】図１
2004113717.tif 000002
【特許請求の範囲】
【請求項１】
老人などハンディキャップを持つ人が使用する歩行補助用杖において、使用中に杖が転倒したりしてしまった際、特殊形状に改良された握り部分を足で踏みつけることにより杖を立ち上げ、杖の拾い上げを簡便にする機能を備えた歩行補助用杖。
【請求項２】
請求項１において、杖の柄部分の形状は両端の各々異なる面に約４５度の傾斜を持つ平面を一定の範囲で設ける。その際、上方向が必ず幅が狭くなるような構造とする。杖の上方向から足で踏みつけることにより、杖の柄部分の幅が広い一辺を支点として杖が約４５度の角度まで立ち上がる機能が発効させられる構造を備える歩行補助用杖。
【発明の詳細な説明】
【０００１】
【発明の属する技術分野】
歩行補助用杖に属する。
【０００２】
【従来の技術】
従来のものは軽量で使用と携帯に対する利便性が重要視されている。また、転倒防止用に石附部が複数の足で構成されているものもある。さらに、杖が転倒した際、引き上げ用の紐が備えられてあるものも開発されている。
【０００３】
屈伸機能の低下している老人や第三者の視点に配慮する被介護者は使用品の形状等に敏感となり、また、特殊構造にするため価格の高騰が引き起こされてしまう。
【０００４】
【発明が解決しようとする課題】
従来から開発されている物の利点を最大限に生かし、且つ、屈伸機能の低下している老人や被介護者が使用中に転倒した杖が簡単に引き起こせるという、使い易い便利で安価な杖を提供することである。
【０００５】
【課題を解決するための手段】
杖の柄部分の一部に約４５度の傾斜を持つ平面を持たせる。
【０００６】
傾斜を持つ平面は杖の柄部分の左右両側に設け、杖が転倒した場合でも作動させやすいようにする。
【０００７】
傾斜角度は約４５度とし、その角度により、転倒した杖が約４５度の角度まで起き上がるようにする。
【０００８】
【発明の実施の形態】
図１の通り、杖の主軸部２は通常の形状を保ち、杖の柄部分１の左右にＡ−Ａ，Ｂ−Ｂで示されるような約４５度の角度を持つ断面４を設置する。そうすると、杖の柄部分１は断面図５．６のように三角形のような形状となる。
【０００９】
図２では実際に杖が転倒した時に、それを起こす動作を示す。杖の柄部分１を足７で踏み、そこに設けた約４５度の角度で杖が起き上がる状態８を示したものである。
【００１０】
図３では実際に歩行中の使用者９が少ない屈伸で転倒した杖１１を拾い上げることができるかという一連の動作を示す。
【発明の効果】
【００１１】
本発明により、屈伸機能の低下した老人や被介護者が歩行中に杖を転倒させても、第三者に援助を求めず、自分で拾い上げることが少ない屈伸動作で可能になり、散歩や外出の機会を増加させる意志の高揚に役立つ。
【図面の簡単な説明】
【図１】本発明の歩行補助用杖の全体図である。
【図２】本発明の歩行補助用杖を起き上がらせる方法を示す動作図である。
【図３】本発明の歩行補助用杖の実効を示す用途説明図である。
【符号の説明】
１．　杖の柄部分
２．　杖の主軸部
３．　石附
４．　柄の約４５度に削られた断面
５．　柄の角度を示すＡ−Ａの断面図
６．　柄の角度を示すＢ−Ｂの断面図
７．　使用者の動作時の足
８．　持ち上げられた杖の状態を示す図
９．　歩行補助用杖の使用者
１０．　杖本体
１１．　最終動作前の杖本体
【図１】
2004113717.tif 000003
【図２】
2004113717.tif 000004
【図３】
2004113717.tif 000005
(57)【要約】　　　（修正有）【課題】掛架の枠板からズボンの滑り落ちポケットの在中品の落下を防止する帯ベルトと回転具の使用で移動を挟着し保持をなす。【解決手段】三角ハンガーの掛架である掛着枠板の端部に帯ベルトを伸長し、対置の着合部とを連着して、その上を回転具を押圧し、三方枠で挟着をなして掛架枠でズボンを短縮した状態にて納置をする。【選択図】図４
2004113735.tif 000002
【特許請求の範囲】
【請求項１】
三角ハンガーの掛架である掛着枠板（１）の端部に自動逆転の帯ベルト（３）とその先端が接着の着合部（４）を対置しさらに両端に腕の回転具（１１）を設置して板面を平坦あるいは高位となる箇所もあり板（１）の向側面に丸線横枠（５）を設け可動連着（６）をなし手前側面に和文ヨの字形の丸線の三方枠（７）を連着し、それに丸線の掛架枠（９）を釣着してズボン（１０）を短縮に納置をなす吊りハンガーである。
【発明の詳細な説明】
【０００１】
【発明の属する技術分野】
本発明は、ズボン吊りハンガーに関するものである。
【０００２】
【従来の技術】
従来のハンガーは、枠に二つ折りで吊り下げるのでズボンの滑り落ちやポケットが下向きとなり在中品の落下があり、これらの欠点がある。
【０００３】
【発明が解決しようとする課題】
ズボンを二つ折に吊り下げる方法は帯ベルトで挟み落下を防止し保全構成したのである。
【０００４】
【課題を解決するための手段】
課題を解決するために枠の掛着枠板に自動逆転の帯ベルトを設置してズボンを挟み回転具で保持をなすように改善したのである。
【０００５】
帯ベルト（３）は先部が伸長して着合部（４）を接着し帯ベルト（３）は掛着枠板（１）とズボン（１０）を挟み保持しその掛着枠板（１）表面は高くなるところもある。
【０００６】
帯ベルト（３）の先部と着合部（４）にも合成離着材（２）を着装し両方が接着すると合成離着材（２）も接着し離別する。
【０００７】
掛着枠板（１）の両端に腕木回転具（１１）を設置する。
【０００８】
掛着枠板（１）の向側面に丸線の横枠（５）と手前側面に和文ヨの字形を丸線の三方枠（７）に連着し、それに丸線掛架枠（９）を釣着設備する。
【０００９】
帯ベルト（３）を無納の伸縮織ベルトで代用に使用もできる。
【発明の実施の形態】
【００１０】
ズボン（１０）の上部を横枠（５）上に置き下位を掛着枠板（１）と三方枠（７）に置き、帯ベルト（３）を伸長して対置の着合部（４）に合成離着材（２）を共に接着して掛着枠板（１）とズボン（１０）を挟着して、その上を腕の回転具（１１）で上より押圧で保持し、そして横枠（５）を下方に移行してズボン（１０）を三方枠（７）間下降してその後に三方枠（７）も下方に移行しそして掛架枠（９）の下端をズボン（１０）を回動して上位の枠で短縮して納置となる構造である。
【００１１】
【発明の効果】
ズボン（１０）の落下防止を帯ベルト（３）と回転具（１１）の利用で不安は解消し三方枠（７）で移動を禁じて短縮の納置を掛架枠（９）装置で終了する必要部を完備した製品である。
【図面の簡単な説明】
【図１】上位よりの下向図
【図２】前面横枠下向正面図
【図３】手前三方枠下向前面図
【図４】ズボン三方枠に吊り下げた前面図
【図５】掛着枠板の両枠が下向した上よりの上面図
【符号の説明】
１　掛着枠板
２　合成離着材
３　帯ベルト
４　着合部
５　横枠
６　連着
７　三方枠
８　円輪
９　掛架枠
１０　ズボン
１１　回転具
【図１】
2004113735.tif 000003
【図２】
2004113735.tif 000004
【図３】
2004113735.tif 000005
【図４】
2004113735.tif 000006
【図５】
2004113735.tif 000007
(57)【要約】【課題】本発明は、悪天候の時にゴルフシューズ、ズボンの裾を保護する為に使えるよう折り畳み自在の携帯用ゴルフ靴カバーに関する。【解決手段】略靴型形状をした封筒状の本体は、靴遊嵌部と脛遊嵌部と、係止部を数カ所設け布引きゴム係止部先端に面ファスナーを貼着固定し、靴遊嵌部底面はネット構造にし、靴カバーが容易に着脱自在にしたことを特徴とする。【選択図】　図１
2004113734.tif 000002
【特許請求の範囲】
【請求項１】
防水性柔軟素材を用いて、靴カバー本体（１）を靴遊嵌部（２）と脛遊嵌部（３）とを一体的に形成して設け、靴遊嵌部（２）の底面をネット状にし、かつ靴カバー本体（１）の適所に複数の係止部（４）、（４）を設けたことを特徴とする携帯用ゴルフ靴カバー。
【発明の詳細な説明】
【０００１】
【発明の属する技術分野】
本発明は、携帯用雨具靴カバーに関するもので、詳しくは折り畳んで携帯でき、必要に応じて、靴の上から履ける携帯用ゴルフ靴カバーに関する。
【０００２】
【従来の技術】
従来の靴カバーは、ゴルフ靴カバーとして出来ておらず、靴の汚れを防ぐ程度の物であった。そのために、底面はビニール素材で防水制に出来ているのが一般的であった。靴カバーの丈は足首程度までで、丈も短く底面全体がビニールで出来ている物であった。
【０００３】
【発明が解決しようとする課題】
従来の靴カバーは、従来の技術で述べたように丈が短く、底面全体がビニールで出来ているためゴルフシューズの底面に敷設してあるスパイクが地面に接しないために滑って雨降りのゴルフには使い物にはならかった。
ゴルフは、雨天でも決行するので靴やズボンの裾が汚れ雨降りのゴルフは最悪とされていた。従来の雨降りのゴルフでは靴下でズボンの裾を押さえているのが通常で上着には、カッパはあるがゴルフ用靴カバーはなく、しかるに従来技術のこうした課題の解決を図るのに、携帯に便利な軽量で簡便なゴルフ用靴カバーの出現が待望されていながら、そのような商品は見当たらなかった。
本発明は、かかる課題を解決するために開発した物であり、折り畳んで容易に持ち運びが出来、必要に応じてゴルフシューズの上から履き、長靴の役割を果たす携帯用ゴルフ靴カバーを提供する事を目的とするものである。
【０００４】
【課題を解決するための手段】
上記目的を達成するために、本発明における携帯用ゴルフ靴カバーは、下記の様な構成としている。
防水性柔軟素材を用いた携帯用ゴルフ靴カバー本体１は、本体を靴遊嵌部２と脛遊嵌部３を一体的に形成し、靴遊嵌部２の底面をネット状にし、かつ靴カバー本体１の適所に複数の係止部４，４を設ける。
【０００５】
【発明の実施の形態】
防水性柔軟素材を用いた靴カバー本体１は、靴遊嵌部２と、脛遊嵌部３と、靴遊嵌部２の、底面はネット状にし、靴カバー本体１に、複数の係止部４，４を設け、各係止部の中央は靴カバー本体１の、後方縦方向の脹ら脛上部中央に固着し、中部は足首後方中央に固着し、下部は靴遊嵌部外側両サイドに係止部４，４を固着し各支承部４，４の先端部分には面ファスナーが貼着固定してある。
【０００６】
本携帯用ゴルフ靴カバー１を使用する時は、ゴルフシューズを履いたまま略靴型形状をした封筒状の靴カバー本体１の開口部に、ゴルフシューズの爪先から足を入れ、靴遊嵌部２の両サイド外側に、固着された左右の係止部４，４の先端部の面ファスナーで、足の甲を押さえ、中部に固着した係止部４，４は、足首周りを押さえ上部係止部４、４は、脹ら脛上部を巻き込む様に面ファスナーで止める事が簡単にでき、尚　靴カバー本体１の開口部が略靴型形状で封筒状になっているため容易に履きやすくなっている。
【０００７】
携帯用ゴルフ靴カバー１は、素材を薄く軽くし、靴遊嵌部２の、靴底部をネット構造にしてあるため、ゴルフシューズのスパイクが地面と接する事で、安定したフォームができ、不必要な時は折り畳んで小さくなるので、不必要な時は折り畳んで小さくなるので、鞄やハンドバッグなどに収納して持ち運びが簡単に出来るようになっている。
【０００８】
【実施例】
本発明の実施例について図面を参照に説明する。
図１〜図４は、本発明の一実施例である。
図１は、本発明の一実施例の斜視図、図２は、後方斜視図、図３は、使用状況側面図、図４は、靴遊嵌部底面図、
【０００９】
以下本発明の実施例を図面について説明する。
略靴型形状をした封筒状の靴カバー本体１は、後方脹ら脛上部、足首周り中部と、靴底部外側両サイドに布引ゴムの係止部４，４を、数カ所設けると共に各係止部４，４の中央を靴カバー本体１の後方部に固着し各布引きゴム係止部４，４の左右先端部に面ファスナーを貼着固定し、封筒状の靴カバー本体１の靴遊嵌部外側両サイドに係止部４，４が図２で示すように固着されているため必要に応じて、締め付け固定や解放が容易に出来るように面ファスナーが各係止部両端に貼着固定されている。締め付け固定するのには、係止部４，４を両手で引っ張る様にし左右の面ファスナーを重ねる事で固定できる。取り外しの時は、各係止部の端部を、剥がすことで、着脱が簡便であり望ましい実施方法である。
【００１０】
以上のように構成されている本発明を使って実施使用とすると次のような手順で行う。まず靴カバー本体１の、開口部にゴルフシューズを履いたまま、爪先から入れ、靴底が靴遊嵌部２に達したら靴遊嵌部外側両サイドに固着してある布引きゴム係止部４，４で足の甲部締め付け面ファスナーで押さえつけ固定する。下から上へ順に足首、脹ら脛をくるむように係止してゆく、足の太さにも個人差がありどのような人でも合うように支承部４，４は布引きゴムで要所には面ファスナーが貼着固定してあり、締め付け固定、解放が容易に出来携帯に便利である。尚ネットは、格子状もある。
【００１１】
【発明の効果】
本発明は上記のように構成されているので次のような効果を奏する。
１．　防水性柔軟素材で出来ているので小さく折り畳みが出来携帯に便利で
ある。
２．　各係止部には面ファスナーが必要箇所に固着しており、要所を容易に固定できるので、靴やズボンの裾などを汚すことなくプレー出来る。
３．　靴遊嵌部の底面がネット構造になっているためゴルフシューズ底面の
スパイクと芝生がかみ合い通常のプレーと変わらない効果が出る。
【図面の簡単な説明】
【図１】一実施例の斜視図
【図２】後方斜視図
【図３】使用状況斜視図
【図４】遊嵌部底面ネット図
【符号の説明】
１．靴カバー本体
２．靴遊嵌部
３．脛遊嵌部
４．係止部
【図１】
2004113734.tif 000003
【図２】
2004113734.tif 000004
【図３】
2004113734.tif 000005
【図４】
2004113734.tif 000006
(57)【要約】【課題】本発明は、お灸の治療を簡便に出来るように工夫したもので、道具もいらず、携帯も可能である。また、自身による治療セルフケアも容易に実践できることを目的としたもので、お灸の器具の代用として工夫した焙熱接触針を提供する。【解決手段】棒状針体（２）の基部に針柄（１）を設け、その反対側の針先部（３）に弾丸状ヘッドを設け、針体（２）と針先（３）を挿入納置できる鞘ケース（４）を設け、その上部に転がり防止用フィン（５）を設け、針体（２）部分を等分にして異なる表面加工を施したことを特徴とする。【選択図】　図１
2004113732.tif 000002
【特許請求の範囲】
【請求項１】
棒状針体（２）の基部に針柄（１）を設け、その反対側の針先部（３）に弾丸状ヘッドを設け、針体（２）と針先（３）を挿入納置できる鞘ケース（４）を設け、その上部に転がり防止用フィン（５）を設け、針体（２）部分を等分にして異なる表面加工を施した焙熱接触針。
【発明の詳細な説明】
【０００１】
【発明の属する技術分野】
本発明は、お灸の治療を簡便に出来るように工夫したもので、道具もいらず、携帯も可能である。また、自身による治療セルフケアも容易に実践できることを目的としたもので、お灸の器具の代用として工夫した焙熱接触針に関するものである。
【０００２】
【従来の技術】
従来、お灸の治療の施術時には、モグサ、線香、ライター、灰皿、クリーム、ヘアピン、消毒用アルコール綿などの諸道具が必要だった。
また、モグサの燃焼臭やその熱さ、痛みに加えて瘢痕なども残るため、覚悟の人でなければ効験は認めても敬遠されがちであった。
また、過去に平田式熱鍼器などの改良した器具はあった。
【０００３】
【非特許文献１】
平田内蔵吉著「平田式心療法」たにぐち書店（２０００年１１月１１日、ｐ．１８０−１８３）
間中喜雄著「医家のための針術入門講座」医道の日本社（１９９２年９月、ｐ．２５３）
【０００４】
【発明が解決しようとする課題】
これには次のような欠点があった。
（イ）　お灸の施術時の熱さと痛み、モグサの燃焼臭、ケムリなどが不快であった。
（ロ）　モグサ、線香、ライター、灰皿、ヘアピン、消毒用アルコール綿、クリームなどの諸道具が必要だった。
（ハ）　頭部、項部の施術時は、モグサが浮き上がり、ヘアピンで毛髪を押えつけなければならず、面倒でセルフケアは不可能であった。
（ニ）　施術後、どうしてもヤケドの瘢痕が残って見苦しく、とくに現代女性には美容上の観点より好まれなかった。
本発明は、これらの欠点を解決するためになされたものである。
【０００５】
【課題を解決するための手段】
棒状針体（２）の基部に針柄（１）を設ける。
棒状針体（２）の反対側の針先部（３）に弾丸状ヘッドを設ける。
針体（２）と針先（３）を挿入納置できる鞘ケース（４）を設ける。
鞘ケース（４）の上部に転がり防止用フィン（５）を設ける。
針体（２）部分を等分にして異なる表面加工を施す。
本発明は、以上の構成よりなる焙熱接触針である。
【０００６】
【発明の実施の形態】
以下、本発明の実施形態について説明する。
（イ）　ステンレス製の棒状針体（２）の基部に木製針柄（１）を設ける。
（ロ）　棒状針体（２）の反対側の針先部（３）に銅製の弾丸状ヘッドを設ける。
（ハ）　針体（２）と針先（３）を挿入納置できる木製の鞘ケース（４）を設ける。
（ニ）　鞘ケース（４）の上部に転がり防止用のプラスチック製の転がり防止用フィン（５）を設ける。
（ホ）　また、針体（２）部分を等分して、異なる表面加工を施し、目測用の目盛を設ける。
本発明は、以上の構成よりなっている。
本発明品を使用するときには、針柄を手で把持して、針先ヘッドをライターまたはマッチで数秒ほど焙る。
次にテイッシュペーパーかハンカチで、焙った針先ヘッドのスス、カーボンを拭って除去すると同時に指先で適温度を確認する。
これはヤケドの予防である。
そして、目的の有効経穴ツボに、針先ヘッド、あるいは針体部分を用いて雀啄接触させて、熱刺激を加えて治療し、その効験を得て各種疾病の快癒を目的とするものである。
尚、刺激量の加減は、各々の症状に応じ、適宜調整をはかる。
このようにモグサを一切使用しないために臭気は皆無となり、熱さと痛みも従来に比較して不快ではなく、却って痛快感を得られるようになった。
お灸の治療の諸道具が不要となり、本接触針とライター、ハンカチの３点セットがあれば即、治療可能となった。
とくに頭部、項部の治療が画期的に容易となり、どの経穴ツボでも自在な施術が素早くでき、セルフケアも可能となった。
また、女性や若年者に嫌われていた術後瘢痕も絶無となった。
本接触針の針先ヘッドには良導体で蓄熱効果の高い金属銅を使用し、その銅イオン殺菌作用により、消毒も不必要となった。
【０００７】
【発明の効果】
従来のお灸の治療の諸道具がまったく不要となり、本接触針とライター、ハンカチの３点セットがあれば即、治療可能である。
その結果、身近な疾患の悩みが解決できる。
わけても、頭部、項部への治療が画期的に楽になり、自在な施術が短時間で出来て、セルフケアさえ可能となった。
モグサを一切使用しないため、臭いやケムリが皆無となり、熱さや痛みも大幅に軽減され、却って痛快で爽快感さえ感じられるようになった。
ステンレス製針体部分の余熱を利用した低温熱による前後、左右のスライド操作接触は、目測用の目盛で適温箇所が確認できて、初心者、女性、子供等の治療に安全かつ最適である。
さらに、女性や若年者に嫌われた、術後瘢痕も絶無となった。
これらにより、効験、効果は認めても、その欠点が故に治療を敬遠していた人たちも怖がらずに気軽に治療が可能となった。
また、将来、多増する脳疾患、老人性痴呆等の予防と治療に、副作用が皆無のこの焙熱接触針療法の貢献が期待できる。
【図面の簡単な説明】
【図１】本発明の分解斜視図である。
【図２】本発明の鞘ケース本体を断面にした組立図である。
【図３】本発明の針柄部、針体部、弾丸状針先部の側面図である。
【図４】本発明の鞘ケース本体を断面にした側面図である。
【符号の説明】
１　針柄部
２　針体部
３　弾丸状針先部
４　鞘ケース
５　転がり防止用フィン
【図１】
2004113732.tif 000003
【図２】
2004113732.tif 000004
【図３】
2004113732.tif 000005
【図４】
2004113732.tif 000006